(57)【特許請求の範囲】
【請求項１】
筒状の胴体部と、
前記胴体部の内部に位置し、発光する発光部と、
前記胴体部の前端に設けられ、前記発光部が発する光を遮蔽するヘッド部と、
前記胴体部と連結し、側面に孔部を備える手でつかむための保持部と、
前記保持部の内部に設けられ、前記発光部に動力を供給する電源部と、
前記保持部の内部であって、前記孔部に隣り合うように設けられた、前記発光部が発する熱を散熱する散熱部とを有し、
前記胴体部は、前記保持部に差し込まれることで前記保持部に連結し、
前記発光部は、前記胴体部の、前記保持部に差し込まれた部分に位置する棒状ライト。
【請求項２】
前記ヘッド部は、
光を一部透過させる、図形形状からなる切り込み部を有することを特徴とする請求項１記載の棒状ライト。
【請求項３】
前記胴体部は、更に、
内側に装飾シートを備えることを特徴とする請求項１または２記載の棒状ライト。
【請求項４】
前記胴体部は、前記保持部から着脱可能であることを特徴とする請求項１から３いずれか１項記載の棒状ライト。
【請求項５】
前記保持部は、更に、
前記発光部の発光条件を制御する制御部を備えることを特徴とする請求項１から４いずれか１項記載の棒状ライト。
【請求項６】
前記保持部は、更に、
ストラップを装着するための突起物を有することを特徴とする請求項１から５いずれか１項記載の棒状ライト。
【請求項７】
前記棒状ライトは、更に、
前記胴体部と前記ヘッド部との間に内蓋を有することを特徴とする請求項１から６いずれか１項記載の棒状ライト。
【請求項８】
前記切り込み部は、
前記ヘッド部に設けられるものであることを特徴とする請求項２記載の棒状ライト。
【請求項９】
前記保持部は、更に、
前記制御部に対して、前記発光条件の切り替え指示を与えるスイッチ部を備えることを特徴とする請求項５記載の棒状ライト。
【発明の詳細な説明】
【技術分野】
【０００１】
本発明は、棒状ライトに関するものである。
【背景技術】
【０００２】
イベント・祝祭行事などにおいて、ペンライトや、照明など光を用いて演出効果を高めるものや、光によって興味を引き立てるライトが多く流通している。
【０００３】
とりわけ、棒状ライトは、コンサート等の夜間に行われるイベントにおいては、点灯した状態で振りかざし、会場を盛り上げるために多く用いられている。
【０００４】
そのため、棒状ライトは、手で振りかざせる程度の小型軽量であり、かつ、十分な照度及びそれを維持できるだけの電力を備える必要がある。
【０００５】
近年の棒状ライトに関する技術が特許文献１及び特許文献２に開示されている。
【０００６】
特許文献１には、光の三原色を構成する各色を発光する発光ダイオードが備えられ、その各発光ダイオードが個別に制御されることにより、光源部を任意の色に発光させることが可能な棒状ライトに関する技術が開示されている。
【０００７】
特許文献２には、発光具のスイッチの一極として、発光素子を指示した電気基板を利用することで軽量化及び小型化が可能な棒状ライトに関する技術が開示されている。
【先行技術文献】
【特許文献】
【０００８】
【特許文献１】特開２０００−９０７０２号公報
【特許文献２】特開平９−２８２９０２号公報
【発明の概要】
【発明が解決しようとする課題】
【０００９】
しかしながら、特許文献１及び２に記載の棒状ライトは、十分な照度を持つがために、コンサート等で用いた場合、光が持つ指向性によって前方への光線の照度が高く、棒状ライトの該前方への光線を正面から浴びた人が目を傷めるなどの危険があった。
【００１０】
そこで、本発明は、上記事情に鑑み、前方への光線の照度を抑える、安全な棒状ライトを提供することを目的とするものである。
【課題を解決するための手段】
【００１１】
本発明に係る棒状ライトは、筒状の胴体部と、胴体部の内部に位置し、発光する発光部と、胴体部の前端に設けられ、発光部が発する光を遮蔽するヘッド部と、胴体部と連結し、側面に孔部を備える手でつかむための保持部と、保持部の内部に設けられ、発光部に動力を供給する電源部と、保持部の内部であって、前記孔部に隣り合うように設けられた、発光部が発する熱を散熱する散熱部とを有し、胴体部は、保持部に差し込まれることで保持部に連結し、発光部は、胴体部の、保持部に差し込まれた部分に位置するものである。
【００１２】
「胴体部」は、発光部の発光の様子が外から確認できるように透過性を有したものをいう。例えば、半透明のプラスチックやガラス等で構成されてもよい。また、胴体部は、更に、内側に装飾シートを備えてもよい。
【００１３】
「装飾シート」とは、特定の波長の光が透過可能なシートのことをいう。発光部から発光された特定の波長の光を、該装飾シートに透過させることで、光が色を有しているように見せる効果がある。また、装飾シートは、表面に複数の凹凸を備え、光を乱反射させるものであってもよい。具体的には、セロファン、塩化ビニール、フィルム等が挙げられる。
【００１４】
また、胴体部は、保持部から着脱可能な構成としてもよい。
【００１５】
「発光部」は、電源部からの動力供給を受け発光するものをいう。具体的には発光ダイオード等が挙げられる。発光体は各発光体が、単一の発光色に発光するものとしてもよいし、各発光体が複数の発光色に発光するものとしてもよい。
【００１６】
「ヘッド部」は、発光部が発する光を遮蔽するものであり、例えばアルミ等の金属片を用いてもよい。また、ヘッド部は、光を一部透過させる、図形形状からなる切り込み部を有する構成としてもよい。
【００１７】
「切り込み部」は、線状の図形形状であり、ヘッド部へ照射された光が透過可能な箇所をいう。切り込み部は、星や王冠のような図形や、文字としてもよい。ただし、切り込み部は照度を十分に抑えられる程度の幅であることが望ましい。
【００１８】
「保持部」は、利用者が棒状ライトをつかむための部位をいう。保持部は、ストラップ等を装着できるような突起物を有してもよい。保持部は、更に、発光部の発光条件を制御する制御部を備える構成としてもよい。
【００１９】
「電源部」は、発光部に動力を供給するものをいう。具体的には、乾電池やボタン電池等が挙げられる。電源部は、前述の乾電池のように内部に電力を蓄えたものの方が望ましいが、例えばバッテリーのように、外部電源と接続し、電源の供給を受けるものとしてもよい。
【００２０】
「制御部」は、制御回路を有したものをいい、具体的にはＣＰＵやＩＣチップ等の基板回路が挙げられる。制御部では発光部の発光条件として、例えば発光部の照度、点滅速度、点滅色等を制御する。
【００２１】
保持部は、更に、制御部に対して、発光条件の切り替え指示を与えるスイッチ部を有する構成としてもよい。
【発明の効果】
【００２２】
本発明に係る、棒状ライトは、筒状の胴体部と、胴体部の内部に設けられ、発光する発光部と、胴体部の前端に設けられ、発光部が発する光を遮蔽するヘッド部と、胴体部と連結し、手でつかむための保持部と、保持部の内部に設けられ、発光部に動力を供給する電源部とを備える際には、発光部が発光する光をヘッド部が遮蔽することにより、前方への光線の照度を抑えることが可能になる。
【００２３】
また、ヘッド部は、光を一部透過させる、図形形状からなる切り込み部を備える際においては、発光の照度を抑えつつ、ヘッド部上に文字や図形を浮かび上がらせることが可能になる。
【００２４】
また、胴体部は、更に、内側に装飾シートを備える際においては、胴体部の側面から発せられる光に装飾性を持たせることが可能になる。
【００２５】
また、胴体部は、保持部から着脱可能である際においては、劣化した発光部の取替えや切り込み部の形状が異なるヘッド部への取替えが容易に可能となる。
【００２６】
また、保持部は、更に、発光部の発光条件を制御する制御部を備える際においては、より多くの発光パターンを実現可能になる。
【００２７】
また、保持部は、更に、制御部に対して発光条件の切り替え指示を与えるスイッチ部を備える際においては、利用者が自由に発光パターンを選択することが可能になる。
【図面の簡単な説明】
【００２８】
【図１】本発明の第１の実施形態に係る棒状ライトの正面図
【図２】本発明の第１の実施形態に係る棒状ライトの背面の断面図
【図３】本発明の第１の実施形態に係る棒状ライトの背面図
【図４】本発明の第１の実施形態に係る棒状ライトの側面図
【図５】本発明の第１の実施形態に係る棒状ライトの底面図
【図６】本発明の第１の実施形態に係る棒状ライトの上面図
【図７】本発明の第１の実施形態に係る棒状ライトの正面の断面図
【図８】本発明の第１の実施形態に係る棒状ライトを分解した図
【図９】本発明の第１の実施形態に係る棒状ライトの模式図
【図１０】本発明の第１の実施形態に係る棒状ライトの模式図
【発明を実施するための形態】
【００２９】
［第１の実施形態］
以下、本発明の第１の実施の形態を図１乃至図８を用いて説明する。
【００３０】
本発明に係る棒状ライト１００は、筒状の胴体部１０１と、胴体部１０１の内部に設けられ、発光する発光部２０１と、胴体部１０１の前端に設けられ、発光部２０１が発する光を遮蔽するヘッド部３０１と、胴体部１０１と連結し、手でつかむための保持部４０１と、保持部４０１の内部に設けられ、発光部２０１に動力を供給する電源部５０１とを備える。
【００３１】
胴体部１０１は、発光部２０１の発光の様子が外から確認できるように透過性を有したものをいう。例えば、半透明のプラスチックやガラス等で構成されてもよい。第１の実施形態においてはプラスチックで構成されている。
【００３２】
ヘッド部３０１は、発光部２０１が発する光を遮蔽するものであり、例えばアルミ等の金属片を用いてもよい。第１の実施形態ではアルミ板で構成されている。
【００３３】
発光部２０１は、電源部５０１からの動力供給を受け発光するものをいう。具体的には発光ダイオード等が挙げられる。発光体は各発光体が、単一の発光色に発光するものとしてもよいし、各発光体が複数の発光色に発光するものとしてもよい。第１の実施形態においては、白色光を発する発光ダイオードを用いている。
【００３４】
保持部４０１は、利用者が棒状ライト１００をつかむための部位をいう。
【００３５】
電源部５０１は、発光部２０１に動力を供給するものをいう。具体的には、乾電池やボタン電池等が挙げられる。電源部５０１は、前述の乾電池のように内部に電力を蓄えたものの方が望ましいが、例えばバッテリーのように、外部電源と接続し、電源の供給を受けるものとしてもよい。
【００３６】
図１は第１の実施形態に係る棒状ライト１００の正面を示す図、図２は第１の実施形態に係る棒状ライト１００の側面からみた断面の様子を示す図、図３は第１の実施形態に係る棒状ライト１００の背面を示す図、図４は第１の実施形態に係る棒状ライト１００の側面を示す図、図５は第１の実施形態に係る棒状ライト１００の底面を示す図、図６は、第１の実施形態に係る棒状ライト１００の上面を示す図、図７は第１の実施形態に係る棒状ライト１００の正面からみた断面の様子を示す図である。
【００３７】
第１の実施形態において、棒状ライト１００は、図１に示すように、胴体部１０１の上端にヘッド部３０１を備えている。また胴体部１０１は、下端で保持部４０１と連結している。さらに、保持部４０１は、ストラップ留４０３としてストラップ４０２等を装着できるような突起物を有し、図２に示すように内部に電源部５０１を備えている。
【００３８】
また、第１の実施形態において、保持部４０１は、図３及び図４に示すように背面に電源部５０１を外部から取り外し可能な、電源蓋４５１を備えている。
【００３９】
また、ヘッド部３０１は、光を一部透過させる、図形形状からなる切り込み部３０２を有する構成としてもよい。
【００４０】
切り込み部３０２は、線状の図形形状であり、ヘッド部３０１へ照射された光が透過可能な箇所をいう。切り込み部３０２は、星や王冠のような図形や、文字としてもよい。ただし、切り込み部３０２は照度を十分に抑えられる程度の幅であることが望ましい。第１の実施形態においては、図６に示すようにヘッド部３０１は、星型の切り込み部３０２を有している。
【００４１】
また、胴体部１０１は、更に、内側に装飾シート１０２を備えてもよい。装飾シート１０２は、特定の波長の光が透過可能なシートのことをいう。発光部２０１から発光された特定の波長の光を、該装飾シート１０２に透過させることで、光が色を有しているように見せる効果がある。また、装飾シート１０２は、表面に複数の凹凸を備え、光を乱反射させるものであってもよい。具体的には、セロファン、塩化ビニール、フィルム等が挙げられる。
【００４２】
図７は、第１の実施形態に係る棒状ライト１００の側面からみた断面図である。図７に示すように、第１の実施形態において、装飾シート１０２は胴体部１０１の内側に沿うように配置されている。
【００４３】
また、胴体部１０１は、保持部４０１から着脱可能な構成としてもよい。
【００４４】
第１の実施形態においては、胴体部１０１は下端の外周部に、保持部４０１は上端の内周部にそれぞれ切り込みを有している。これによって、胴体部１０１の下端を保持部４０１に差し込んで回転させることで連結させることが可能になる。また、胴体部１０１を連結時と逆方向に回転させることで保持部４０１から取り外すことも可能である。
【００４５】
保持部４０１は、更に、発光部２０１の発光条件を制御する制御部６０１を備える構成としてもよい。
【００４６】
制御部６０１は、制御回路を有したものをいい、具体的にはＣＰＵやＩＣチップ等の基板回路が挙げられる。制御部６０１では発光部２０１の発光条件として、例えば発光部２０１の照度、点滅速度、点滅色等を制御する。
【００４７】
保持部４０１は、更に、制御部６０１に対して、発光条件の切り替え指示を与えるスイッチ部４２１を有する構成としてもよい。
【００４８】
第１の実施形態では、スイッチ部４２１を押す回数によって、発光部２０１の照度を３段階に切り替え可能である。
【００４９】
図８は、第１の実施形態に係る棒状ライト１００を分解した状態を示した図である。
【００５０】
図８に示すように、棒状ライト１００は、胴体部１０１、保持部４０１が連結した筒状の形状をしている。胴体部１０１の内側に装飾シート１０２が挿入され、上端は、内蓋３０３で閉じられ、該内蓋３０３の上から、ヘッド部３０１が被せられ、固定されている。
【００５１】
また、胴体部１０１は、固定具１１５に挿入され、保持部４０１ａ及び保持部４０２ｂに連結する。また、保持部４０１ａ及び保持部４０２ｂは、ネジ５９１、ネジ５９２及びネジ５９３によって接続している。
【００５２】
次に、保持部４０１の内部構造について、図８を用いて説明する。
【００５３】
発光部２０１は、器具２０４にネジ２９１によって固定され、凸面鏡２０２の内部に設けられる。これによって、発光部２０１が下方に照射する光を、上方向に反射させることが可能になる。
【００５４】
凸面鏡２０２は、散熱器具５８５の内部に設けられ、凸面鏡固定具２０３によって保持部４０１に固定される。
【００５５】
また、制御部６０１は、ＩＣ６０２を有し、ネジ６５１及びネジ６５２によって保持部４０１に固定される。
【００５６】
スイッチ部４２１は、保持部４０１の下端に設けられ、内部にボタン４２２、端子４２３及び基盤４２４を有している。利用者がスイッチ部４２１を押すと、ボタン４２２を介して端子４２３が押下され、該押下の回数等の情報が基盤４２４に伝えられる。該情報をもとに基盤４２４は制御部６０１に発光条件の変更指示を与える。
【００５７】
電源部５０１は、金具５９４、金具５９５、金具５９６、金具５９７及び金具５９８を介して保持部４０１と接続し、金具５５１及び金具５５２によって固定されている。電源部５０１は電源蓋４５１を開くことで外部から取り外し可能な構造になっている。
【００５８】
[第２の実施形態]
本発明に係る棒状ライト１００の第２の実施形態を、図９を用いて説明する。図９は、第２の実施形態に係る棒状ライト１００を模式的に表した図である。
【００５９】
第２の実施形態において、棒状ライト１００は、筒状の胴体部１０１と、胴体部１０１の内部に設けられ、発光する発光部２０１（図９では図示を省略）と、胴体部１０１の前端に設けられ、発光部２０１が発する光を遮蔽するヘッド部３０１と、胴体部１０１と連結し、手でつかむための保持部４０１と、保持部４０１の内部に設けられ、発光部２０１に動力を供給する電源部５０１（図９では図示を省略）とを備える。
【００６０】
保持部４０１は、下端にストラップ留４０３を有し、ストラップ４０２を装着可能である。
【００６１】
また、ヘッド部３０１は、第２の実施形態においては星型の切り込み部３０２を有している。図９の（ａ）は、発光部２０１が消灯している状態のヘッド部３０１を表したものである。（ｂ１）、（ｂ２）、（ｂ３）及び（ｂ４）は、暗闇の中で発光部２０１が点灯した場合のヘッド部３０１の状態を表している。
【００６２】
第２の実施形態において、発光部２０１として、３色発光ダイオードを用いており、複数の色に発光可能である。３色発光ダイオードとは、光の三原色である赤色・緑色・青色の発光ダイオードのチップを有することで、発光色を自由に変更可能な発光ダイオードのことをいう。
【００６３】
これによって、第２の実施形態においては、棒状ライト１００は、（ｂ１）、（ｂ２）、（ｂ３）及び（ｂ４）の４種類の発光パターンを有する。
【００６４】
その他の構造及び機能については第１の実施形態と同様である。ただし、第２の実施形態においては、発光部２０１が複数色に発光可能であるため、胴体部１０１は装飾シート１０２を有さない構成としてもよい。
【００６５】
[その他の実施形態]
本発明に係る棒状ライト１００のその他の実施形態の模式図を、図１０に示す。
【００６６】
その他の実施形態において、棒状ライト１００は、筒状の胴体部１０１と、胴体部１０１の内部に設けられ、発光する発光部２０１（図１０では図示を省略）と、胴体部１０１の前端に設けられ、発光部２０１が発する光を遮蔽するヘッド部３０１と、胴体部１０１と連結し、手でつかむための保持部４０１と、保持部４０１の内部に設けられ、発光部２０１に動力を供給する電源部５０１（図１０では図示を省略）とを備える。
【００６７】
図１０の（Ａ）は、ヘッド部３０１は数字の１を３つ並べた「１１１」という切り込み部３０２を有している。また、（Ｂ）では、数字の２を３つ並べた「２２２」という、（Ｃ）では、数字の３を３つ並べた「３３３」という、（Ｄ）では、星型の切り込み部３０２をそれぞれ示している。
【００６８】
図１０の（Ａ）、（Ｂ）、（Ｃ）及び（Ｄ）において、左側の切り込み部３０２は発光部２０１が消灯時の、右側の切り込み部３０２は暗闇での発光部２０１の点灯時の状態を模式的に表している。
【００６９】
図１０の（Ａ）、（Ｂ）、（Ｃ）及び（Ｄ）の各胴体部１０１は相互に取替え可能である。
【００７０】
その他の構造及び機能については第１の実施形態と同様である。
【００７１】
本発明に係る棒状ライト１００は、筒状の胴体部１０１と、胴体部１０１の内部に設けられ、発光する発光部２０１と、胴体部１０１の前端に設けられ、発光部２０１が発する光を遮蔽するヘッド部３０１と、胴体部１０１と連結し、手でつかむための保持部４０１と、保持部４０１の内部に設けられ、発光部２０１に動力を供給する電源部５０１とを備える際には、発光部２０１が発光する光をヘッド部３０１が遮蔽することにより、前方への光線の照度を抑えることが可能になる。
【００７２】
また、ヘッド部３０１は、光を一部透過させる、図形形状からなる切り込み部３０２を備える際においては、発光の照度を抑えつつ文字や図形を浮かび上がらせることが可能になる。
【００７３】
また、胴体部１０１は、更に、内側に装飾シート１０２を備える際においては、胴体部１０１の側面から発せられる光に装飾性を持たせることが可能になる。
【００７４】
また、胴体部１０１は、保持部４０１から着脱可能である際においては、劣化した発光部２０１の取替えや切り込み部３０２の形状が異なるヘッド部３０１への取替えが容易に可能となる。
【００７５】
また、保持部４０１は、更に、発光部２０１の発光条件を制御する制御部６０１を備える際においては、より多くの発光パターンを実現可能になる。
【００７６】
また、保持部４０１は、更に、制御部６０１に対して発光条件の切り替え指示を与えるスイッチ部４２１を備える際においては、利用者が自由に発光パターンを選択することが可能になる。
【符号の説明】
【００７７】
１００            棒状ライト
１０１            胴体部
１０２            装飾シート
１１５            固定具
２０１            発光部
２０２            凸面鏡
２０３            凸面鏡固定具
２０４            器具
３０１            ヘッド部
３０２            切り込み部
３０３            内蓋
４０１            保持部
４０１ａ            保持部
４０１ｂ            保持部
４０２            ストラップ
４０３            ストラップ留
４２１            スイッチ部
４２２            ボタン
４２３            端子
４２４            基盤
４５１            電源蓋
５０１            電源部
５５１            留め具
５５２            留め具
５８５            散熱器具
５９１            ネジ
５９２            ネジ
５９３            ネジ
５９４            金具
５９５            金具
５９６            金具
５９７            金具
５９８            金具
６０１            制御部
６０２            ＩＣ
６５１            ネジ
６５２            ネジ
【要約】      （修正有）【課題】胴体部の前端に遮光部を設けることによって、発光部が発光する、前方への光線の照度を抑えることが可能な、安全な棒状ライトを提供する。【解決手段】筒状の胴体部１０１と、胴体部１０１の内部に設けられ、発光する発光部２０１と、胴体部１０１の前端に設けられ、発光部２０１が発する光を遮蔽するヘッド３０１部と、胴体部１０１と連結し、手でつかむための保持部４０１と、保持部４０１の内部に設けられ、発光部２０１に動力を供給する電源部５０１とを備える。【選択図】図８【図１】
0005324681.tif 000002
【図２】
0005324681.tif 000003
【図３】
0005324681.tif 000004
【図４】
0005324681.tif 000005
【図５】
0005324681.tif 000006
【図６】
0005324681.tif 000007
【図７】
0005324681.tif 000008
【図８】
0005324681.tif 000009
【図９】
0005324681.tif 000010
【図１０】
0005324681.tif 000011